(57)【要約】【課題】２以上の供給元が提供する番組を、同時に、あるいは時間帯の一部が重複する状態で同時に記録し、あるいは再生する際に、記録部の残り記録容量に応じて記録部を変更可能な記録再生装置及び記録方法を提供する。【解決手段】この発明の記録再生装置及び記録方法は、設定された記録時間帯において１以上のチャンネル信号に対応した番組をループ録画する記録方法と、録画開始指示或いは指定された時間での録画開始および終了により番組を録画する前記ループ記録とは異なる記録方法による録画が可能であり、それぞれの記録方式ごとに異なる記録モジュールを使用することを特徴とする。また、同一の記録方法に利用される複数の記録モジュールについて、それらが同時に利用されることを示すペアリング情報が正しい記録モジュールを組として利用を許可し、正しいペアリング情報が検出できない場合には、エラー通知を行う。【選択図】図３
2011077892.tif 000002
【特許請求の範囲】
【請求項１】
設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用することを特徴とする記録再生装置。
【請求項２】
前記記録モジュールの接続が検出されると、当該記録モジュールの所定のエリアに設定された前記利用機能判定情報が保持する情報に従い、どの記録方式利用されている記録モジュールであるかを判定する判定モジュールをさらに有することを特徴とする請求項１記載の記録再生装置。
【請求項３】
前記記録モジュール相互間において、その用途を前記ループ録画する記録方法による録画から前記ループ録画する記録方法とは異なる記録方法による録画、もしくはその逆への変更が可能であり、前記用途の変更が実行された場合には、前記利用機能判定情報が更新されることを特徴とする請求項２記載の記録再生装置。
【請求項４】
前記ループ録画する記録方法および前記ループ録画する記録方法とは異なる記録方法のそれぞれにおいて、複数の記録モジュールを、グループとして利用することを特徴とする請求項１記載の記録再生装置。
【請求項５】
前記それぞれの記録モジュールの個々の記録モジュールの所定のエリアに設定された利用機能判定情報が保持する情報に従い、同一の記録方法に利用される記録モジュールであり、それらが同時に利用されることを示すペアリング情報が設定されているかを判断する判定モジュールをさらに備え、正しいペアリング情報を持った記録モジュールを組として利用を許可し、正しいペアリング情報が検出できない場合には、エラー通知を行うエラー検出モジュールをさらに有することを特徴とする請求項３記載の記録再生装置。
【請求項６】
前記ループ録画する記録方法に必要なデータ容量と当該ループ録画する記録方法に用いる記録モジュールの総容量の差が、前記ループ録画する記録方法に用いる記録モジュールの合計の記録容量を上回り、余剰の記録容量が発生する場合、その旨をユーザに通知し、余剰の記録容量の利用機能判定情報を前記ループ録画する記録とは異なる記録方法による録画向けに書き換えることが可能であることを特徴とする請求項５記載の記録再生装置。
【請求項７】
前記余剰の記録容量が発生する記録モジュールに記録されていた番組について、削除または前記ループ録画する記録とは異なる記録方法による録画への変更をユーザに選択させ、前記ループ録画する記録とは異なる記録方法による録画への変更が要求された番組は、前記ループ録画する記録とは異なる記録方法により録画された番組として保持することを特徴とする請求項６記載の記録再生装置。
【請求項８】
前記ループ録画による記録方法による録画に必要なデータ容量が、当該ループ録画による記録方法による録画用の記録モジュールの総容量を上回る場合、その旨をユーザに通知し、前記ループ録画する記録とは異なる記録による録画向けの記録モジュールの利用機能判定情報を前記ループ録画による記録方法による録画向けに書き換え、余剰の記録容量を前記ループ録画による記録方法による録画に利用可能であることを特徴とする請求項５記載の記録再生装置。
【請求項９】
設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用することを特徴とする記録方法。
【発明の詳細な説明】
【技術分野】
【０００１】
この発明は、２以上の番組を、同時に記録し、再生できる記録再生装置及び記録方法に関する。
【背景技術】
【０００２】
従来からの地上アナログ放送や普及がめざましい地上デジタル放送、あるいは衛星放送等、映像及び音声を含む番組（コンテンツ）の供給元の選択岐に亘っている。また、高速通信網の普及にともない、有線方式で番組を配信する配信事業者やネットワーク上に公開した番組をユーザに取得させる形式を取る供給元（事業体）も増えている。
【０００３】
このような背景から、ユーザが希望する２以上の供給元が提供する番組を、同時に、あるいは時間帯の一部が重複する状態で、２以上受信できることに対するユーザの要望も増えている。また、同一時間帯に提供される２以上の番組を、順次録画するマルチチャンネル録画も普及しつつある。
【０００４】
特許文献１には、複数のチューナ部を備え、それぞれのチューナ部に対応して設けられた複数の記憶部に、個々のチューナ部が受信したデータを記録することが示されている。
【０００５】
特許文献２には、複数のチューナ部を備え、同時に受信した複数チャンネルの番組データを記録部に一時的に蓄積することが示されている。
【先行技術文献】
【特許文献】
【０００６】
【特許文献１】特開２００２−１６５１４６号公報
【特許文献２】特開２００７−９６３６８号公報
【発明の概要】
【発明が解決しようとする課題】
【０００７】
上記両文献は、複数のチューナ部が受信した番組を同時に記録することを開示するが、記録部が複数である場合に、各記録部の残り記録容量（空き容量）よりも大きなサイズの番組を記録する方法については言及がない。
【０００８】
また、文献１においては、空き容量がある記録部に対し、対応したチューナ部以外のチューナ部が受信するデータを記憶することを示唆しない。
【０００９】
この発明の目的は、２以上の供給元が提供する番組を、同時に、あるいは時間帯の一部が重複する状態で同時に記録し、あるいは再生する際に、記録部の残り記録容量に応じて記録部を変更可能な記録再生装置及び記録方法を提供することである。すなわち、異なる記録方式に設定されたＨＤＤをユーザは接続してしまい、適切な視聴ができなくなることを抑止するとともに、同じ記録方式でもセットで使用するＨＤＤが異なるとうまく再生ができなくなることを防止できる記録再生装置を提供することである。
【課題を解決するための手段】
【００１０】
この発明は、上記問題点に基づきなされたもので、設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用することを特徴とする記録再生装置を提供するものである。
【００１１】
また、この発明は、設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用することを特徴とする記録方法を提供するものである。
【発明の効果】
【００１２】
この発明の一つの実施の形態は、異なる記録方式に設定されたＨＤＤをユーザは接続してしまい、適切な視聴ができなくなることを抑止するとともに、同じ記録方式でもセットで使用するＨＤＤが異なるとうまく再生ができなくなることを防止できる。
【００１３】
また、複数チャンネル同時ループ録画に必要な容量の多少によって、余剰ＨＤＤが発生したり、容量不足が発生することを防止できる。
【００１４】
これにより、ループ録画よりもＰＶＲ録画を主に使うユーザには、ＰＶＲ録画に利用できる容量を多く提供し、より多くの番組の録画を可能とする。一方、ループ録画が多いユーザにも、必要十分な記録容量を提供できる。
【００１５】
なお、ＨＤＤの所定エリアに記録方式を識別する情報、及びペアリングに関する情報を記録し、これを基に適切な組み合わせで利用することにより、ＨＤＤの追加や交換が可能である場合、接続間違いを防止することもできる。
【図面の簡単な説明】
【００１６】
【図１】この発明の実施の形態が適用可能な記録再生装置（受信装置）の構成の一例を示す概略図。
【図２】図１に示した記録再生装置に組み込まれるＣＡＳ制御モジュールの構成の一例を示す概略図。
【図３】図１および図２に示した記録再生装置に組み込まれる記録再生制御モジュールが含む複数の記録モジュールの用途（記録方式毎の割りあて）と「利用機能識別情報テーブル」が管理する機能識別情報の一例を模式的に示す概略図。
【図４】図１および図２に示した記録再生装置において、表示装置（映像表示器）、または出力端に出力される表示出力の一例（表示装置への表示例）を示す概略図。
【図５】図１および図２に示した記録再生装置において、図４に示した表示例に引き続いて表示装置（映像表示器）、または出力端に出力される表示出力の一例（表示装置への表示例）を示す概略図。
【図６】図３に示した記録モジュール相互間の「ペアリング機能」の判定の一例を示す概略図。
【図７】図３に示した記録モジュール相互間において、記録モジュールの用途（記録方式毎の割りあて）を変更する手順の一例を示す概略図。
【図８】図３に示した記録モジュール相互間において、記録モジュールの用途（記録方式毎の割りあて）を変更する手順の一例を示す概略図。
【図９】図３に示した記録モジュール相互間において、記録モジュールの用途（記録方式毎の割りあて）を変更する際に生じる「録画済番組」を参照するために利用される『過去番組表』の表示の一例を示す概略図。
【発明を実施するための形態】
【００１７】
以下、図面を参照して、本発明の実施の一形態について説明する。
【００１８】
図１は、この発明を適用した記録再生装置（受信装置）の構成を概略的に示す。なお、図１に示す記録再生装置は、所定の容量の記録媒体を内蔵したレコーダ装置であり、地上アナログ放送、地上デジタル放送、衛星デジタル放送及び有線方式で番組を配信する配信事業者（ケーブルテレビジョン事業体）等の供給元（以下、ＣＡＳ（Conditional Access System）と呼称する）が提供するさまざまなコンテンツを受信して再生信号を出力するとともに、ユーザが希望するコンテンツ（ストリーム）については、ユーザの希望する画質及び音質により記録できる。なお、コンテンツ（ストリーム）は、映像及び音声もしくは音楽等を含み、広く「番組」と称される。また、映像は、動画と静止画、あるいはテキストを主体とした文字放送やデータ放送の表示等を含む。また、記録再生装置は、主としてケーブルテレビジョン事業体の放送基地（配信）局から配信される番組を受信するセットトップボックス（ＳＴＢ）等であってもよい。また、記録再生装置は、表示装置を一体に有するテレビ受信装置であってもよい。
【００１９】
図１に示す記録再生装置１０１は、任意数の入力１ａ，１ｂ，・・・，１ｎ−１，１ｎ（ｎは、正の整数）から入力される信号を受信する受信処理モジュール１、受信処理モジュール１が受信するコンテンツ（番組）を、コンテンツの供給元が用意した識別情報に基づいてＣＡＳカード（ユーザの識別のためのＩＤ（識別符号）が記録された識別機構）を選択するＣＡＳ制御モジュール２、受信したコンテンツを、表示装置が表示可能な信号として出力するための信号選択モジュール３、デコードモジュール４及びＡ／Ｖ（Audio／Video）出力モジュール５のそれぞれを制御するとともに、モジュール間の信号の受け渡しを管理する主制御モジュール６を含む。また、記録再生装置１０１は、ユーザの要求に従い、受信したコンテンツを記録する記録再生制御モジュール７をさらに有する。なお、上述ならびに以下に「モジュール」と呼称する要素は、ハードウエアで実現するものであってもよいし、ＣＰＵ（マイクロコンピュータ）等を用いてソフトウエアで実現するものであってもよい。
【００２０】
受信処理モジュール１は、図２を用いて詳述するが、１ａ，１ｂ，・・・，１ｎ−１，１ｎ（ｎは、正の整数）毎に、入力信号から所定のチャンネルを選局（チューニング）するチューナーモジュール、チューナーモジュールで選局された信号からコンテンツ供給元すなわちＣＡＳ事業体の情報やＣＡＳが用意した契約情報等を含む管理情報とコンテンツを含んだトランスポートストリーム（Transport Stream，ＴＳ）を分離するＴＳ分離モジュール、ＴＳ分離モジュールが分離した管理情報から、以下に説明するＣＡＳ制御モジュールによりＣＡＳが提供する識別情報（ＣＡＳカード）を用いて、ＣＡＳ側で施された暗号化キー（鍵）を解除（デスクランブル）し、コンテンツの映像信号及び音声信号（ＰＥＳ（Packetized Elementary Stream））を得るデスクランブラモジュールを含む。
【００２１】
ＣＡＳ制御モジュール２は、コンテンツ供給元すなわちＣＡＳが用意した契約情報等に基づく識別符号（ＩＤ）を保持したＣＡＳカードからＩＤを読み取り、ユーザによるコンテンツの受信（視聴）を許可する。ＣＡＳを受信可能な受信装置（記録再生装置）には、ＣＡＳが用意した識別カード（ＣＡＳカードと呼ばれる）が要求される。ＣＡＳカードは、供給元あるいは配信事業者の事業形態に基づき、複数種類が用意されている。なお、ＣＡＳ制御モジュール２は、例えば２枚のＣＡＳカードを収容可能である。
【００２２】
ＣＡＳカードは、周知の通り、「社団法人電波産業会（ＡＲＩＢ）」が管理する「ＡＲＩＢ  ＴＲ−Ｂ１５」に準拠し、１枚のカードで２つのストリームをデスクランブル（暗号化キーの解除）可能である。従って、図１及び図２に示すＣＡＳ制御モジュール２においては、２枚のＣＡＳカードが挿入可能であるから、最大で４ストリーム（チャンネル）を受信できる。なお、ＣＡＳカードは、Ｂ−ＣＡＳカードとも称され、青カードと呼ばれる第１の規格のカードと、赤カードと呼ばれる第２の規格のカードに区分される。
【００２３】
第１の規格のカード（青カード）は、全てのコンテンツが現時点では無料である（視聴に対する対価の要求すなわち課金がない）地上デジタル放送のストリームのみをデスクランブル可能なＩＤ（識別符号）を保持したカードである。
【００２４】
第２の規格のカード（赤カード）は、有料（視聴に対して対価を要求（課金）する）放送についてもデスクランブル可能なＩＤ（識別符号）を保持したカードであり、地上デジタル放送のストリームに加え、例えばＣＳデジタル放送や配信事業者が光ファイバ網を経由して供給するストリーム（コンテンツ）も受信可能である。なお、第２の規格のカード（赤カード）は、現行の全ての事業体が提供するストリーム（コンテンツ）を受信可能である（赤カードは、受信対象の事業体による制約を受けない）。
【００２５】
信号選択モジュール３は、主要な構成及びその機能は広く知られているので詳細な説明を省略するが、受信処理モジュール１または記録再生制御モジュール７から供給される各信号を、信号毎に規定された処理方法に従い、引き続くデコードモジュール４がデコード可能に、処理する。
【００２６】
受信モジュール１が出力する信号が、衛星放送すなわちＢＳ（Broadcasting Satellite，放送衛星）またはＣＳ（Communication Satellite，通信衛星）により提供される衛星デジタル放送信号である場合、チューナーモジュールで選局されたチャンネルのコンテンツは、ＰＳＫ（Phase Shift Keying）復調モジュールにより復調され、トランスポートストリーム（Transport Stream，ＴＳ）が取り出されたのち、ＴＳ復号モジュールにより、復号処理（デパケット）される。これにより、選択したコンテンツのデジタルの映像信号及び音声（オーディオ）信号（ＰＥＳ（Packetized Elementary Stream））が得られる。
【００２７】
受信モジュール１が出力する信号が、地上デジタル放送信号である場合、チューナーモジュールで選局されたチャンネルのコンテンツは、ＯＦＤＭ（Orthogonal Frequency Division Multiplexing）復調モジュールにより復調され、トランスポートストリーム（Transport Stream，ＴＳ）が取り出されて、以下、衛星放送信号と同様に、処理される。
【００２８】
受信モジュール１が出力する信号が、地上アナログ放送信号である場合、選局されたチャンネルのコンテンツは、アナログ復調モジュールによりアナログの映像信号および音声信号（オーディオ）に復調される。
【００２９】
なお、後段に説明する記録再生制御モジュール７が出力する信号は、通常は、ＭＰＥＧ（Moving Picture Experts Group）−２あるいは，−４（Ｈ．２６４−ＡＶＣ）規格（オーディオ／音声はＭＥＰＧ−２）に基づいて圧縮された信号であり、そのまま後段のデコードモジュール４へ出力される。
【００３０】
デコードモジュール４は、主要な構成及びその機能は広く知られているので詳細な説明を省略するが、信号選択モジュール３から出力されるＰＥＳ（Packetized Elementary Stream）をデコードし、選択されたコンテンツの映像信号および音声（オーディオ）信号を出力する。映像信号及びオーディオ（音声）信号は、図示しないがＤ／Ａコンバータによりアナログ信号に変換され、後段のＡ／Ｖ（Audio／Video）出力モジュール５に供給される。なお、デコードされた信号から、ＴＳに含まれているセクション情報、各種データ（サービス情報）、電子番組ガイド（ＥＰＧ）情報、番組属性情報（番組ジャンル等）および字幕情報等も取り出される。デコードモジュール４はまた、信号選択モジュール３からアナログの映像信号および音声（オーディオ）信号が供給された場合には、そのまま後段のＡ／Ｖ出力モジュール５に出力する。また、デコードモジュール４は、記録再生制御モジュール７からの圧縮された信号については、（圧縮方法に対応する）デコーダでデコードし、図示しないＤ／Ａコンバータによりアナログ信号に変換して、後段のＡ／Ｖ出力モジュール５に出力する。
【００３１】
Ａ／Ｖ（Audio／Video）出力モジュール５は、主要な構成及びその機能は広く知られているので詳細な説明を省略するが、外部に接続されるモニタ装置（ディスプレイ）が表示（再生）可能な映像出力を生成する映像処理モジュールと外部に接続されるオーディオ（音声）再生装置、すなわちスピーカあるいはヘッドホン等が再生可能なオーディオ出力（音声を含む）を出力するためのオーディオ処理モジュールとを含む。映像出力については、デコードモジュール４から供給されるデジタルの映像信号と、例えば操作ガイドやエラーメッセージ等であり、ＯＳＤ（On Screen Display）信号生成モジュールで生成されるＯＳＤ信号と、データ放送等である場合に生成される画像（テキスト）データと、ＴＳから取得したＥＰＧデータあるいは字幕信号等を合成して、映像出力８に出力する。オーディオ出力については、必要に応じ、予め用意された案内（音声ガイド）を、適時重畳して、オーディオ出力９に出力する。なお、テレビ受信装置等、表示装置及びスピーカが一体的に設けられている場合には、映像処理モジュール及びオーディオ処理モジュールの出力が、そのまま供給されることはいうまでもない。
【００３２】
また、図示しないがＯＳＤ信号生成モジュールが映像処理モジュールに出力する出力ＯＳＤ信号は、ＯＳＤ信号生成モジュールの出力ＯＳＤ信号とグラフィック処理モジュールの両出力を、例えばそれぞれ画面の半分を構成するように組み合わせて表示（再生）可能に、映像出力に反映することができる。また、グラフィック処理モジュールは、αブレンディングと呼ばれるパラメーターが設定されることで、通常の映像表示上に、ＯＤＳ信号生成モジュールからの出力を、「半透明」状態で（通常の映像信号の一部を透過可能に）重ね合わせた状態で表示（再生）可能に、映像出力に反映することができる。グラフィック処理モジュールはまた、コンテンツが字幕信号を伴い、字幕が表示可能である場合は、映像出力に、字幕信号を重畳することができる。
【００３３】
主制御モジュール６は、主要な構成及びその機能は広く知られているので一部を除いて詳細な説明を省略するが、番組データベース処理モジュール６Ａ、視聴制御モジュール６Ｂ、メモリモジュール６Ｃ、表示制御モジュール６Ｄ及びＭＰＵ（マイクロプロセッサ、あるいはコアプロセッサ）６Ｅを少なくとも含む。
【００３４】
番組データベース処理モジュール６Ａは、例えばＥＰＧの表示やＥＰＧにより取得したコンテンツの情報に従う録画予約の受け付け等の機能に利用される。
【００３５】
視聴制御モジュール６Ｂは、ＣＡＳカードが保持するＩＤ（識別符号）に従う任意のチューナーによるコンテンツの受信（チャンネルまたはＣＡＳ事業体の選択）や、コンテンツが含む管理情報（ＣＡＳ事業体の情報）の取得等に利用される。
【００３６】
メモリモジュール６Ｃは、動作プログラムを保持したＲＯＭ（Read Only Memory）、作業エリアを提供するＲＡＭ（Random Access Memory）、及び各種の設定情報や制御情報等が格納され、保持される不揮発性メモリ（Non Volatility Memory，ＮＶＭ）を含む。なお、ＲＡＭは、取得したＥＰＧデータも保持する。また、不揮発性メモリ（ＮＶＭ）は、録画予約を実現するための予約情報、直前に視聴あるいは録画していたチャンネル（ＣＡＳ）情報等を保持する。
【００３７】
表示制御モジュール６Ｄは、Ａ／Ｖ（Audio／Video）出力モジュール５に出力すべきＯＳＤ信号の生成や操作ガイドとして表示される画像表示（アイコン（Icon）表示やＧＵＩ（Graphical User Interface）において表示すべきさまざまな表示）を制御する。
【００３８】
主制御モジュール６は、上述した受信処理モジュール１、ＣＡＳ制御モジュール２、信号選択モジュール３、デコードモジュール４及びＡ／Ｖ（Audio／Video）出力モジュール５のそれぞれを制御するとともに、モジュール間の信号の受け渡しを管理する。
【００３９】
また、主制御モジュール６は、図示しない操作モジュールにより入力される操作情報、または図示しないリモコン（リモート端末）から送出された操作情報を図示しないリモコン受信モジュールにより受信したリモコン入力に対応する操作内容が反映されるように、上述した各モジュールを制御するとともに、メモリモジュール６Ｃが含むＲＯＭが保持するプログラムに従い、起動プログラムを実行し、次の入力、または録画予約等に備えた待機状態をセットする。
【００４０】
また、主制御モジュール６は、ＲＯＭに格納されている制御プログラムに基づいて、後段に説明するが、記録再生制御モジュール７が有する記録媒体について、欠陥場所検出、未記録領域検出、録画情報記録位置設定、ＵＤＦ記録、及びＡ／Ｖアドレス設定等を実行する。なお、主制御モジュール６は、詳述しないが、ディレクトリ検出部、ＶＭＧ（ビデオ管理情報）作成部、コピー関連情報検知部、コピー及びスクランブリング情報処理部（ＲＤＩ処理部）、パケットヘッダ処理部、シーケンスヘッダ処理部、アスペクト比情報処理部、編集を実行する際の管理情報を処理する編集時管理情報制御部、あるいは録画を実行する際の管理情報を処理する録画時管理情報制御部、等として所定の動作あるいは処理を実現するための、さまざまな信号処理ブロックを含む。
【００４１】
主制御モジュール６はまた、設定された『予約録画』に関する、例えば［開始日時］，［終了日時］，［チャンネル］及び［レート］等の情報を保持し、設定された予約録画を実現する。
【００４２】
主制御モジュール６はまた、図３を用いて後段に詳述するが、記録制御モジュール７が含む、任意数、例えば４セットのＨＤＤ（Hard Disk Drive，大容量記録装置すなわち記録モジュール）７Ａ〜７Ｄに記録すべきコンテンツとその記録方法（記録モジュール毎の用途）の変更を制御する。
【００４３】
主制御モジュール６はまた、デコードされた信号から、ＴＳに含まれているセクション情報、各種データ（サービス情報）、電子番組ガイド（ＥＰＧ）情報、番組属性情報（番組ジャンル等）、字幕情報を取得する。
【００４４】
なお、コンテンツ（ストリーム）に付属する管理情報（ＣＡＳ事業体の情報）は、図２により後段に説明するが、受信処理ジュール１が含むＴＳ分離モジュールにより、予めＴＳから分離される。また、ＣＡＳ事業体の情報は、ＣＡＳ事業体が提供するコンテンツが含むＩＰＭＰ記述子あるいはＩＰＭＰツールＩＤから取り出すことができ、例えばＥＣＭ（ＭＰＥＧ−２規格である場合）あるいはＥＭＭ（有料放送の契約情報）により特定される。取得したＣＡＳ事業体の情報は、ＣＡＳ制御モジュール２において、入力されたコンテンツ供給元すなわちＣＡＳまたはチャンネルを受信する際に、上述した第１の規格のカード（青カード）または第２の規格のカード（赤カード）のどちらを用いるかを設定する際に有益である。
【００４５】
なお、赤カード及び青カードのそれぞれが保持する契約情報等は、主制御モジュール６による起動処理時（起動プログラム実行時）に、カードの種別とともに予めチェックされることはいうまでもない。
【００４６】
記録再生制御モジュール７は、記録モード（レート）による違いがあるが、百時間程度のコンテンツの録画が可能なＨＤＤ（記録モジュール）を含み、受信したコンテンツあるいは入力される情報（映像及び音声あるいは静止画等）を保持する。なお、記録モジュール（ＨＤＤ）は、２セット以上用意されてもよく、図１に示す例では、４セット（７Ａ〜７Ｄ）である。また、記録モジュールが複数用意される場合、それぞれが同一あってもよく、もちろん異なるものであってもよい。また、記録モジュールとしては、例えば半導体メモリ（メモリカード）であってもよいし、両者が併用されてもよいことはいうまでもない。
【００４７】
なお、記録モジュール７Ａ〜７Ｄは、ユーザが個々の番組（コンテンツ）について、番組録画日、番組開始時刻、番組終了時刻、毎週／毎日等の繰り返しの有無、番組が放送されるチャンネル（ＣＡＳ事業体）、レート、及び録画先等である記録条件を録画対象の番組毎に指定する録画（記録）であって、ＰＶＲ（Personal Video Recording，第一の記録方法）に用いるグループと、番組に固有の放送時間（開始時刻、終了時刻及び録画日）等に比較してユーザが設定する動作モードを優先し、一定条件下で繰り返し録画するループ記録（第二の記録方法）に用いるグループと、に大別される（通常は、記録容量比で概ね１：１である）。従って、例えば記録モジュール７Ａ及び７ＢがＰＶＲのために割りあてられ、記録モジュール７Ｃ及び７Ｄがループ記録のために割りあてられる。なお、ＰＶＲは、永久的な保存を目的とした映像等の記録に適している。
【００４８】
第一の記録方法は、より具体的には、ユーザによる録画開始指示、例えば図示しない録画開始ボタンあるいは図示しないリモコン端末（リモートコントローラ）からの録画開始信号の入力により、任意のチャンネルまたは入力の番組の録画および指定された開始時間と終了時間に従い任意のチャンネルまたは入力の番組を録画する記録方法である。なお、録画開始ボタンあるいは図示しないリモコン端末（リモートコントローラ）からの録画開始信号により録画が開始された場合、例えば図示しない録画停止（終了）ボタンあるいは図示しないリモコン端末（リモートコントローラ）からの録画停止（終了）信号が入力されるまで、録画が継続される。また、一定時間、例えば６時間を経過した時点で、自動的に録画を中止するような制御を併用することも可能である。
【００４９】
第二の記録方法は、より具体的には、設定された記録時間帯において１以上のチャンネル信号に対応した番組をループ録画する記録方法であり、例えば上述した記録モジュール７Ｃおよび７Ｄに任意のチャンネルの番組を順次記録し、記録領域の残り記録容量が無くなった場合には、記録されている番組のうちの古い番組から順に消去して（引き続いて）上書き記録する記録方法である。すなわち、第二の記録方法は、設定された動作条件に従って一定期間かつ所定チャンネル数の番組について、例えば、毎日午前１０時から正午まで、チャンネル（ＣＡＳ事業体）Ａ〜Ｄといった一定条件において、２以上のチャンネルが指定されている場合には同時に（並列して）それぞれのチャンネルの番組を録画し、指定されているチャンネル数が１である場合にはそのチャンネルの番組を、残り記録容量が無くなった場合には、順次上書きしながら繰り返し録画する方法である。なお、それぞれの記録モジュールにおいては、記録領域を、記録すべきチャンネル数に合わせて、仮想的に、予め区分（分割）してもよい。このとき、記録領域の区分（分割）は、記録容量に基づいて、例えば、１／４あるいは１／２等に区分されてもよい。
【００５０】
また、例えばＰＶＲに割り当てられた記録モジュール７Ａ及び７Ｂに記録される番組とループ記録で記録モジュール７Ｃ及び７Ｄに記録される番組が重複した場合、両者を同時に実行することで、ループ記録で記録された番組が更新により削除された場合であってもユーザが希望した番組は、確実にＰＶＲに残る。なお、重複した場合には、ＰＶＲの記録を中止し、ループ記録において記録された番組をＰＶＲ化することも可能である。
【００５１】
なお、主制御モジュール６の制御のもとで、記録再生制御モジュール７は、図３、図６〜図８を用いて後段に説明するが、例えば、１つの番組単位で記録を行うＰＶＲ機能と複数のチャンネルを同時にループ録画する同時ループ録画機能を備え、それぞれの機能ごとに異なるＨＤＤ７Ａ〜７Ｄのいずれかを使用する構成で実現できる。
【００５２】
また、記録再生制御モジュール７は、ＨＤＤ７Ａ〜７Ｄの接続が検出されると、ＨＤＤ７Ａ〜７Ｄの所定のエリア（）に設定された利用機能判定情報を読み出し、どの機能で利用されているＨＤＤ（７Ａ〜７Ｄ）であるかを判定する。
【００５３】
さらに、記録再生制御モジュール７は、ＨＤＤ７Ａ〜７Ｄの接続が検出され、ＨＤＤ７Ａ〜７Ｄの所定のエリアに設定された利用機能判定情報が設定されていないことを、利用機能判定手段（３０）で検出した場合、ユーザの指定により利用する機能が選択された際には選択された機能を特定する情報を利用機能判定情報として所定エリアに設定する機能を備えた
図２は、図１に示した記録再生装置の受信処理部をより詳細に説明する。
【００５４】
記録再生装置１０１の受信処理モジュール１においては、図１により概略を説明したが、各空間波、すなわちＢＳ／ＣＳデジタル放送向け、地上デジタル放送向け、及び地上アナログ放送向け等の図示しないアンテナ、あるいは光ファイバ網等を介して配信事業者が供給するコンテンツの入力端等を経由して、任意数のチャンネルのコンテンツが受信可能である。なお、受信処理モジュール１は、ＢＳ／ＣＳデジタル放送、地上デジタル放送、あるいは配信事業者であるＣＡＳが供給するコンテンツを、ＣＡＳカードが保持する情報、例えば契約情報あるいは過去の課金に対する決済状況等を反映した受信許可情報等に応じ、ユーザが受信しようとする任意のチャンネルの番組（コンテンツ）を、受信可能である。
【００５５】
図２に示す例では、ＣＡＳ制御モジュール２は、２枚のＣＡＳカードを処理可能であるから最大で同時に４つのストリーム（コンテンツ）を受信可能である。なお、各ＣＡＳカードは、上述した赤カードを少なくとも１枚含むことが好ましいが、全てのカードが同一種別であってもよい。また、ＣＡＳ制御モジュール２は、起動時にカードＩＤを読み込み、ＩＤリストと比較して赤カード（第２の規格のカード）と、青カード（第１の規格のカード）の識別を行う。
【００５６】
図２に示す受信処理モジュール１が受信した信号（放送波または配信事業者が光ファイバ網を経由して供給するストリーム）は、任意のチューナーモジュール１１ａ，１１ｂ，・・・，１１ｎ−１，１１ｎ（ｎは、正の整数）により選局され、対応するＴＳ分離モジュール１２ａ，１２ｂ，・・・，１２ｎ−１，１２ｎ（ｎは、正の整数）において、コンテンツ供給元すなわちＣＡＳ事業体の情報やＣＡＳが用意した契約情報等を含む管理情報が、後段の信号処理モジュール３へ供給されるコンテンツすなわち映像信号及び音声（オーディオ）信号と分離される。
【００５７】
各ＴＳ分離モジュール１２ａ，１２ｂ，・・・，１２ｎ−１，１２ｎで分離されたＣＡＳ事業体の情報やＣＡＳが用意した契約情報等は、対応するデスクランブルモジュール１３ａ，１３ｂ，・・・，１３ｎ−１，１３ｎ（ｎは、正の整数）に供給され、ＣＡＳ側で施された暗号化キー（鍵）の解除（デスクランブル）に用いられる。
【００５８】
図３は、図１に示した記録再生装置の記録制御モジュールが管理する「利用機能識別情報テーブル」の一例を示す。
【００５９】
図３に示すように、記録モジュール７Ａ（３１）及び７Ｂ（３２）がＰＶＲ向けの用途が割りあてられ、記録モジュール７Ｃ（３３）及び７Ｄ（３４）がループ録画向けの用途が割りあてられている場合、「利用機能識別情報」を保持した「利用機能識別情報テーブル」３０は、上述の記録モジュール毎に、そのモジュールに割りあてられている用途に関するデータを保持する。
【００６０】
なお、記録再生制御モジュール７は、ＨＤＤ７Ａ〜７Ｄの接続が検出されると、ＨＤＤ７Ａ〜７Ｄの所定のエリア（「利用機能識別情報テーブル」）に設定された利用機能判定情報を読み出し、どの機能で利用されているＨＤＤ（７Ａ〜７Ｄ）であるかを判定する。
【００６１】
さらに、記録再生制御モジュール７は、ＨＤＤ７Ａ〜７Ｄの接続が検出され、ＨＤＤ７Ａ〜７Ｄの所定のエリア（「利用機能識別情報テーブル」）に設定された利用機能判定情報が設定されていないことを、利用機能判定手段（３０）で検出した場合、ユーザの指定により利用する機能が選択された際に、選択された機能を特定する情報を利用機能判定情報として所定エリア（「利用機能識別情報テーブル」）に設定する機能を備える。
【００６２】
なお、ループ録画は、特定の時間帯もしくは全ての時間に提供されるコンテンツ（ストリーム）を、登録されたチャンネル（ＣＡＳ事業体）毎に、常時録画するもので、図示しないリモコン端末あるいは詳述しない操作部により、ユーザから何らかの制御（操作）入力があると、［見るナビ＜機能一覧＞］画面を表示することのできる表示出力信号が映像出力８に出力される。なお、表示出力信号により表示される映像は、模式的には、図４に示す『表示４０１』のような映像である。また、テレビ受信装置等のように表示装置が一体に設けられている場合には、『表示４０１』に類似した映像が表示される。なお、図４に示す例は、映像出力８に表示装置（モニタ装置）が接続された状態、あるいは受信装置がモニタ装置と一体であるテレビ受信装置である場合の表示例を提供可能な表示出力（信号）に相当する。また、実際に表示される際には、モニタ装置（表示装置）のサイズやアスペクト比、解像度等のさまざまな要因に従って変化する場合がある。
【００６３】
例えばリモコン端末の操作により、図示しない表示装置に表示された［予約録画］の例である『表示４１１』を選択する信号が入力されると、図５に一例を示すように、［番組ナビ＜全チャンネル一覧＞］画面の表示例である『表示５０１』を表示可能な表示出力信号が、映像出力８に出力される。なお、出力端２１にも同様の映像を表示可能な表示出力が出力されるこというまでもない。
【００６４】
また、図５に示す［番組ナビ＜全チャンネル一覧＞］表示５０１においては、既に『予約録画』が設定されているチャンネル及び時間帯が、例えば「反転」あるいは「背景の着色」等の表示方法により、ユーザが識別可能に表示される。なお、図５の例は、５０１Ｃ欄の［０７１］チャンネル、５０１Ｄ欄の［１２１］チャンネル、５０１Ｆ欄の［０３１］チャンネル及び５０１Ｇ欄の［１０１］チャンネルが、１４時から１６時までの２時間に亘って予約されていることを示している（［複数チャンネル予約］表示５０３）。
【００６５】
一方、ループ録画に用いる記録モジュール７Ｃ及び７ＤとＰＶＲ記録に用いる記録モジュール７Ａ及び７Ｂとの間には、記録モジュール７Ｃ及び７Ｄに適用されるループ録画に特有の「ペアリング機能」が設けられており、図６に示すように、ペアリングで使用可能であることが、録画開始に先立ってチェックされる。
【００６６】
より詳細には、図６において、図３を用いて説明した「利用機能識別情報テーブル」が参照され、制御情報が読み出される（ブロック［０１］）。
【００６７】
続いて、ループ記録用のペアであるか否かがチェックされ（ブロック［０２］）、ペアリングで使用可能なループ記録用のペアであることが検出できた場合（ブロック［０２−ＹＥＳ］）、ペアリングで使用可能であると判定される（ブロック［０３］）。
【００６８】
一方、ペアリングで使用可能なループ記録用のペアであることが検出できない場合（ブロック［０２−ＮＯ］）、エラーメッセージが表示される（ブロック［０４］）。
【００６９】
なお、記録再生制御モジュール７においては、個々のＨＤＤ７Ａ〜７Ｄの接続が検出されると、それぞれのＨＤＤ７Ａ〜７Ｄの所定の記録エリアに設定された利用機能判定情報（例えばメタ情報もしくはヘッダー情報）を読み出し、同一機能として利用されるＨＤＤ（７Ａ〜７Ｄ）であり、それらが同時に利用されることを示すペアリング情報が設定されているかを判断する判定し、正しいペアリング情報を持ったＨＤＤ（７Ａ及７Ｂに対して７Ｃ及び７Ｄ）を組として利用を許可し、正しくない情報が検知された場合には、当該状況を通知するエラー通知を行う。
【００７０】
ところで、ユーザによっては、ループ録画としての用途が主体で、ＰＶＲ記録としての用途がほとんどない場合と、反対にＰＶＲ記録が主体で、ループ録画がほとんどない場合がある。
【００７１】
図７は、ループ記録すなわち複数チャンネル同時ループ録画が可能な記録再生装置において、記録モジュール（ＨＤＤ）７Ａ〜７Ｄのグループ毎の用途を変更する方法の一例を示す。
【００７２】
始めに、複数チャンネル同時ループ録画の初期設定が、メモリモジュール６Ｃの不揮発性メモリ（ＮＶＭ）から読み出される（ブロック［１０１］）。
【００７３】
次に、複数チャンネル同時ループ録画に必要な容量（空き容量）が、同機能向けの記録モジュール（ＨＤＤ）のグループの合計の容量を上回るか（空き容量が不足しないか）がチェックされる（ブロック［１０２］）。
【００７４】
複数チャンネル同時ループ録画に必要な容量（空き容量）が、同機能向けの記録モジュール（ＨＤＤ）のグループの合計の容量を上回る（ブロック［１０２−ＹＥＳ］）場合、ＰＶＲ記録用ＨＤＤを複数チャンネル同時ループ録画用ＨＤＤに変換する作業が実行される（ブロック［１０３］）。
【００７５】
この場合、ＰＶＲ録画用ＨＤＤが保持するコンテンツすなわち録画済コンテンツのいくつかの削除が必要となり、録画済コンテンツの処理に対するユーザへの問い合わせが行われる（ＧＵＩによりいくつかのコンテンツの削除が要求される（ブロック［１０４］）。
【００７６】
以下、『変換後のＰＶＲ録画番組の使用量  ≦  変換後のＰＶＲ録画用ＨＤＤ総容量』となるまで、ユーザに「録画済コンテンツのリスト（プレイリスト）から削除」することを要求し、対象の番組を削除する（ブロック［１０６］）工程が、繰り返される（ループ［１０５］）。
【００７７】
一方、複数チャンネル同時ループ録画に必要な容量（空き容量）が、同機能向けの記録モジュール（ＨＤＤ）のグループの合計の容量を上回らない場合（ブロック［１０２−ＮＯ］）、複数チャンネル同時ループ録画向けＨＤＤに余剰（空き容量）があるか否かが、チェックされる（ブロック［１１１］）。
【００７８】
一方、複数チャンネル同時ループ録画向けＨＤＤに余剰（空き容量）がある場合（ブロック［１１１-ＹＥＳ］）、再設定するＨＤＤにループ録画（マルチチャンネル録画）されたコンテンツが存在するか否かがチェックされる（ブロック［１１２］）。
【００７９】
再設定するＨＤＤにループ録画（マルチチャンネル録画）されたコンテンツが存在する場合、図９により以下に一例を示す『過去番組表』が参照され、録画済コンテンツのうちのＰＶＲ化したい番組を指定することが、ユーザに求められる（ブロック［１１３］）。
【００８０】
以下、選択された、『ループ録画機能により録画されているコンテンツ（番組）』が、ＰＶＲ化される（ブロック［１１４］）。
【００８１】
最後に、各記録モジュール（７Ａ〜７Ｄ）の「利用機能判定情報」すなわち「利用機能識別情報テーブル」が保持する個々の記録モジュールの用途が書き換えられる（ブロック［１１５］）。
【００８２】
すなわち、記録再生制御モジュール７は、個々の記録モジュール（ＨＤＤ７Ａ〜７Ｄ）に、ＰＶＲ機能（記録）とループ録画機能（記録）によるコンテンツの記録が可能で、それぞれの機能を複数のＨＤＤを使用する構成で実現するとともに、ユーザの操作により、ＰＶＲ機能から同時ループ録画へ、もしくはその逆への利用変更が可能である。なお、利用変更を行った場合は、変更後の利用機能判定情報を所定エリア（「利用機能識別情報テーブル」）に設定する。また、ＰＶＲ機能とループ録画機能は、それぞれの機能ごとに異なるＨＤＤ（７Ａ〜７Ｄ）を使用し、なおかつ一つの機能に対して複数のＨＤＤ（７Ａ及び７Ｂまたは７Ｃ及び７Ｄ）を利用することを特徴とする。
【００８３】
またさらに、記録再生制御モジュール７は、メモリモジュール６Ｃの不揮発性メモリ（ＮＶＭ）に、複数チャンネル同時ループ録画機能の初期設定を行った場合に、複数チャンネル同時ループに必要なデータ容量と、複数チャンネル同時ループ録画機能向けＨＤＤの総容量の差がＨＤＤ１台〜複数台分の容量分を上回り、余剰ＨＤＤが発生する場合には、その旨をユーザに通知し、余剰ＨＤＤの利用機能判定情報をＰＶＲ録画機能向けに書き換える。なお、余剰ＨＤＤに録画されていた番組データが存在した場合に、削除する番組データをユーザに選択させる画面を表示し、削除しない番組はＰＶＲ録画した番組として変換することができる。
【００８４】
さらにまた、記録再生制御モジュール７は、メモリモジュール６Ｃの不揮発性メモリ（ＮＶＭ）、複数チャンネル同時ループ録画機能の初期設定を行った場合に、複数チャンネル同時ループに必要なデータ容量が、複数チャンネル同時ループ録画機能向けＨＤＤの総容量を上回る場合には、その旨をユーザに通知し、ＰＶＲ録画機能向けＨＤＤの利用機能判定情報を複数チャンネル同時ループ録画機能向けに書き換え、必要なＨＤＤ容量を確保することができる。なお、ＰＶＲ録画機能向けＨＤＤに録画されていた番組データが存在した場合に、削除する番組データをユーザに選択させる画面を表示し、必要な容量が確保できるまでユーザに削除する番組データを選択させることで、容量を確保できる。
【００８５】
なお、ＨＤＤの所定エリアに記録方式を識別する情報、及びペアリングに関する情報を記録し、これを基に適切な組み合わせで利用することにより、ＨＤＤの追加や交換が可能である場合、接続間違いを防止することもできる。
【００８６】
図９は、ループ録画機能により録画された番組を参照可能とする『過去番組表』として表示される表示出力信号の一例であり、表示装置に表示された状態を、模式的に示す。
【００８７】
図９に示す『過去番組表』の表示例を示す『表示９０１』は、録画済コンテンツ一覧表示欄９０、チャンネル（ＣＡＳ事業体）表示欄９１、及び時間帯表示欄９２を含む。
【００８８】
なお、図示しないリモコン端末の共通モード入力キー（ボタン）すなわち「青ボタン」からの操作入力により決定されるモードあるいは動作を表示する青ボタン『表示９３』、「赤ボタン」からの操作入力により決定されるモードあるいは動作を表示する赤ボタン『表示９４』、「緑ボタン」からの操作入力により決定されるモードあるいは動作を表示する緑ボタン『表示９５』、及び「黄ボタン」からの操作入力により決定されるモードあるいは動作を表示する黄ボタン『表示９６』を含む。また、録画済コンテンツ一覧表示欄９０は、ループ録画の状況に応じて、空白欄９０Ａを伴う。一方、時間帯表示欄９２は、特定された（フォーカスが宛てられた）「１日分」の録画状況を表示する『表示９Ａ』、次の「１日分」の録画状況を表示する『表示９Ｂ』、その翌日の「１日分」の録画状況を表示する『表示９Ｃ』、及びさらに次の「１日分」の録画状況を表示する『表示９Ｄ』を含む。
【００８９】
なお、図９に示した『過去番組表』により表示されるループ録画されたコンテンツについては、記録モジュール７Ａ〜７Ｄ（この説明においては、７Ｃ及び７Ｄ）に記録される際に、ループ録画であることを示すメタデータもしくはヘッダー情報が付属して記録されることにより、例えば通常のＰＶＲ録画において「予約録画」により録画されたコンテンツと識別され、上述の『過去番組表』としての表示を容易とするために区別されている。
【００９０】
以上説明したように、この発明の実施の一形態を適用することにより、異なる記録方式に設定されたＨＤＤをユーザは接続してしまい、適切な視聴ができなくなることを抑止するとともに、同じ記録方式でもセットで使用するＨＤＤが異なるとうまく再生ができなくなることを防止できる。
【００９１】
また、複数チャンネル同時ループ録画に必要な容量の多少によって、余剰ＨＤＤが発生したり、容量不足が発生することを防止できる。
【００９２】
これにより、ループ録画よりもＰＶＲ録画を主に使うユーザには、ＰＶＲ録画に利用できる容量を多く提供し、より多くの番組の録画を可能とする。一方、ループ録画が多いユーザにも、必要十分な記録容量を提供できる。
【００９３】
なお、ＨＤＤの所定エリアに記録方式を識別する情報、及びペアリングに関する情報を記録し、これを基に適切な組み合わせで利用することにより、ＨＤＤの追加や交換が可能である場合、接続間違いを防止することもできる。
【００９４】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【００９５】
１…受信処理モジュール、２…ＣＡＳ制御モジュール、３…信号選択モジュール、４…デコードモジュール、５…Ａ（Audio）／Ｖ（Video）出力モジュール、６…主制御モジュール、７…記録再生制御モジュール、７Ａ〜７Ｄ…記録モジュール（ＨＤＤ）、８…映像出力、９…オーディオ（音声）出力、１０１…記録再生装置。
【図１】
2011077892.tif 000003
【図２】
2011077892.tif 000004
【図３】
2011077892.tif 000005
【図４】
2011077892.tif 000006
【図５】
2011077892.tif 000007
【図６】
2011077892.tif 000008
【図７】
2011077892.tif 000009
【図８】
2011077892.tif 000010
【図９】
2011077892.tif 000011
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用する記録再生装置において、
前記記録モジュールは、その用途を前記ループ録画する記録方法による録画から前記ループ録画する記録方法とは異なる記録方法による録画、もしくはその逆への変更が可能であり、
前記記録モジュールの接続が検出されると、当該記録モジュールの所定のエリアに設定され、前記用途の変更が実行された場合に更新される利用機能判定情報に従い、どの記録方式で利用されている記録モジュールであるかを判定する判定モジュールと、
前記利用機能判定情報に従い、同一の記録方法に利用される記録モジュールであり、それらが同時に利用されることを示すペアリング情報が設定されていることを検出し、正しいペアリング情報を持った記録モジュールを組として利用を許可するペアリング判定モジュールと、
を具備する記録再生装置。
【請求項２】
前記ループ録画する記録方法および前記ループ録画する記録方法とは異なる記録方法のそれぞれにおいて、複数の記録モジュールを、グループとして利用する請求項１記載の記録再生装置。
【請求項３】
前記ペアリング判定モジュールが正しいペアリング情報が検出できない場合には、エラー通知を行うエラー検出モジュールをさらに具備する請求項１記載の記録再生装置。
【請求項４】
前記ループ録画する記録方法に必要なデータ容量と当該ループ録画する記録方法に用いる記録モジュールの総容量の差が、前記ループ録画する記録方法に用いる記録モジュールの合計の記録容量を上回り、余剰の記録容量が発生する場合、その旨をユーザに通知し、余剰の記録容量の利用機能判定情報を前記ループ録画する記録とは異なる記録方法による録画向けに書き換えることが可能である請求項１記載の記録再生装置。
【請求項５】
前記余剰の記録容量が発生する記録モジュールに記録されていた番組について、削除または前記ループ録画する記録とは異なる記録方法による録画への変更をユーザに選択させ、前記ループ録画する記録とは異なる記録方法による録画への変更が要求された番組は、前記ループ録画する記録とは異なる記録方法により録画された番組として保持する請求項４記載の記録再生装置。
【請求項６】
前記ループ録画による記録方法による録画に必要なデータ容量が、当該ループ録画による記録方法による録画用の記録モジュールの総容量を上回る場合、その旨をユーザに通知し、前記ループ録画する記録とは異なる記録による録画向けの記録モジュールの利用機能判定情報を前記ループ録画による記録方法による録画向けに書き換え、余剰の記録容量を前記ループ録画による記録方法による録画に利用可能である請求項１記載の記録再生装置。
【請求項７】
設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用する記録方法において、
記録モジュールは、その用途を前記ループ録画する記録方法による録画から前記ループ録画する記録方法とは異なる記録方法による録画、もしくはその逆への変更が可能であり、
記録モジュールの接続が検出されると、当該記録モジュールの所定のエリアに設定され、用途の変更が実行された場合に更新される利用機能判定情報に従い、どの記録方式で利用されている記録モジュールであるかを判定し、
利用機能判定情報が保持する情報に従い、同一の記録方法に利用される記録モジュールであり、それらが同時に利用されることを示すペアリング情報が設定されているかを判断し、
正しいペアリング情報を持った記録モジュールを組として利用する記録方法。
【請求項８】
設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用する記録方法において、
同一の記録方法に利用される複数の記録モジュールについて、それらが同時に利用されることを示すペアリング情報が正しい記録モジュールを組として利用する記録方法。
【請求項９】
正しいペアリング情報が検出できない場合には、エラー通知を行う請求項８記載の記録方法。
【手続補正２】
【補正対象書類名】明細書
【補正対象項目名】００１０
【補正方法】変更
【補正の内容】
【００１０】
この発明は、上記問題点に基づきなされたもので、設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用する記録再生装置において、前記記録モジュールは、その用途を前記ループ録画する記録方法による録画から前記ループ録画する記録方法とは異なる記録方法による録画、もしくはその逆への変更が可能であり、前記記録モジュールの接続が検出されると、当該記録モジュールの所定のエリアに設定され、前記用途の変更が実行された場合に更新される利用機能判定情報に従い、どの記録方式で利用されている記録モジュールであるかを判定する判定モジュールと、前記利用機能判定情報に従い、同一の記録方法に利用される記録モジュールであり、それらが同時に利用されることを示すペアリング情報が設定されていることを検出し、正しいペアリング情報を持った記録モジュールを組として利用を許可するペアリング判定モジュールと、を具備する記録再生装置を提供するものである。
【手続補正３】
【補正対象書類名】明細書
【補正対象項目名】００１１
【補正方法】変更
【補正の内容】
【００１１】
また、この発明は、設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用する記録方法において、記録モジュールは、その用途を前記ループ録画する記録方法による録画から前記ループ録画する記録方法とは異なる記録方法による録画、もしくはその逆への変更が可能であり、記録モジュールの接続が検出されると、当該記録モジュールの所定のエリアに設定され、用途の変更が実行された場合に更新される利用機能判定情報に従い、どの記録方式で利用されている記録モジュールであるかを判定し、利用機能判定情報に従い、同一の記録方法に利用される記録モジュールであり、それらが同時に利用されることを示すペアリング情報が設定されているかを判断し、正しいペアリング情報を持った記録モジュールを組として利用する記録方法を提供するものである。
また、この発明は、設定された記録時間帯において１以上のチャンネル信号に対応した番組をループ録画する記録方法と、録画開始指示或いは指定された時間での録画開始および終了により番組を録画する前記ループ録画する記録方法とは異なる記録方法と、による録画が可能であり、それぞれの記録方式ごとに異なる記録モジュールを使用する記録方法において、同一の記録方法に利用される複数の記録モジュールについて、それらが同時に利用されることを示すペアリング情報が正しい記録モジュールを組として利用する記録方法を提供するものである。
【手続補正４】
【補正対象書類名】明細書
【補正対象項目名】００５２
【補正方法】削除
【補正の内容】
【手続補正５】
【補正対象書類名】明細書
【補正対象項目名】００５３
【補正方法】変更
【補正の内容】
【００５３】
図２は、図１に示した記録再生装置の受信処理部をより詳細に説明する。